(57)【要約】【課題】  表示画面上の明部の輝度をなるべく保持しつつ、暗部の黒浮きを補正する。【解決手段】  表示装置に画像信号を出力する画像処理装置であって、画像信号を入力する入力手段と、前記表示装置内で生じる拡散光量を示す光拡散情報を取得する取得手段と、前記入力された画像信号と前記取得した光拡散情報とに基づいて、前記表示装置の表示画面上に発生する黒浮きを補正するための黒浮き補正値を算出する算出手段と、前記算出された黒浮き補正値に基づいて前記入力された画像信号を補正する補正手段とを有することを特徴とする。【選択図】  図１
2010014740.tif 000002
【特許請求の範囲】
【請求項１】
表示装置に画像信号を出力する画像処理装置であって、
画像信号を入力する入力手段と、
前記表示装置内で生じる拡散光量を示す光拡散情報を取得する取得手段と、
前記入力された画像信号と前記取得した光拡散情報とに基づいて、前記表示装置の表示画面上に発生する黒浮きを補正するための黒浮き補正値を算出する算出手段と、
前記算出された黒浮き補正値に基づいて前記入力された画像信号を補正する補正手段とを有することを特徴とする画像処理装置。
【請求項２】
前記光拡散情報は、前記表示装置内部で発した光が表示画面に表示されるまでに周囲に拡散する光量の割合を示すことを特徴とする請求項１に記載の画像処理装置。
【請求項３】
前記光拡散情報は、画像の中央部の信号値を固定値として周囲部の信号値を異ならせた複数の画像を前記表示装置により表示させ、該表示された複数の画像それぞれについて中央部の輝度値を測定することにより得られる前記中央部の輝度値の変化に基づいて算出されることを特徴とする請求項１または２記載の画像処理装置。
【請求項４】
前記算出手段は、さらに前記入力された画像信号の信号値に応じて前記補正値を算出するかどうかを判断する判断手段を有し、
前記判断手段により前記補正を算出しないと判断した場合に、前記補正手段は、前記入力された画像信号を補正しないことを特徴とする請求項１乃至３のいずれか一項に記載の画像処理装置。
【請求項５】
前記光拡散情報は、前記入力された画像信号の信号値によらず一定値とすることを特徴とする請求項１乃至４のいずれか一項に記載の画像処理装置。
【請求項６】
前記光拡散情報は、前記入力された画像信号の信号値に応じた可変値とすることを特徴とすることを請求項１乃至４のいずれか一項に記載の画像処理装置。
【請求項７】
前記光拡散情報は、前記表示装置の表示画面上の位置に応じた可変値とすることを特徴とする請求項１乃至６のいずれか一項に記載の画像処理装置。
【請求項８】
さらに、前記光拡散情報をマニュアルで調整するための調整手段とを有することを特徴とする請求項１乃至７のいずれか一項に記載の画像処理装置。
【請求項９】
さらに、前記光拡散情報を記憶するための記憶手段を有し、
前記記憶手段は、前記光拡散情報と該光拡散情報に対応する表示装置の名前とを対応づけて記憶することを特徴とする請求項１乃至８のいずれか一項に記載の画像処理装置。
【請求項１０】
さらに、前記表示装置の名前を指定する指定手段を有し、
前記取得手段は、前記指定手段により指定された前記表示装置の名前に対応する光拡散情報を前記記憶手段から取得することを特徴する請求項９記載の画像処理装置。
【請求項１１】
表示装置に画像信号を出力する画像処理装置であって、
画像信号を入力する入力手段と、
前記表示装置内で生じる拡散光量を示す光拡散情報を取得する取得手段と、
前記入力された画像信号と前記取得した光拡散情報とに基づいて、前記入力された画像信号を前記表示装置の表示画面上の黒浮きを補正した画像信号に補正する補正手段とを有することを特徴とする画像処理装置。
【請求項１２】
表示装置に画像信号を出力する画像処理装置であって、
画像信号を入力する入力手段と、
前記入力された画像信号を前記表示装置の表示画面上で発生する黒浮きが補正された補正後の画像信号に補正する補正手段とを有し、
前記補正手段は、前記入力画像信号を入力として前記補正後の画像信号を出力するルックアップテーブルを用いることにより前記入力された画像信号を前記補正後の画像信号に補正し、
前記補正後の画像信号は、前記表示装置内で生じる拡散光量を示す光拡散情報に基づいて予め算出されていることを特徴とする画像処理装置。
【請求項１３】
表示装置に画像信号を出力するための画像処理方法であって、
画像信号を入力する入力工程と、
前記表示装置内で生じる拡散光量を示す光拡散情報を取得する取得工程と、
前記入力された画像信号と前記取得した光拡散情報とに基づいて、前記表示装置の表示画面上に発生する黒浮きを補正するための黒浮き補正値を算出する算出工程と、
前記算出された黒浮き補正値に基づいて前記入力された画像信号を補正する補正工程とを有することを特徴とする画像処理方法。
【請求項１４】
表示装置に画像信号を出力するための画像処理方法であって、
画像信号を入力する入力工程と、
前記表示装置内で生じる拡散光量を示す光拡散情報を取得する取得工程と、
前記入力された画像信号と前記取得した光拡散情報とに基づいて、前記入力された画像信号を前記表示装置の表示画面上の黒浮きを補正した画像信号に補正する補正工程とを有することを特徴とする画像処理方法。
【請求項１５】
表示装置に画像信号を出力するための画像処理方法であって、
画像信号を入力する入力工程と、
前記入力された画像信号を前記表示装置の表示画面上で発生する黒浮きが補正された補正後の画像信号に補正する補正工程とを有し、
前記補正工程は、前記入力画像信号を入力として前記補正後の画像信号を出力するルックアップテーブルを用いることにより前記入力された画像信号を前記補正後の画像信号に補正し、
前記補正後の画像信号は、前記表示装置内で生じる拡散光量を示す光拡散情報に基づいて予め算出されていることを特徴とする画像処理方法。
【請求項１６】
コンピュータが読み込み実行することで、該コンピュータを請求項１３乃至１５のいずれか１項に記載の画像処理方法を実行するように制御することを特徴とするコンピュータ可読のプログラム。
【発明の詳細な説明】
【技術分野】
【０００１】
本発明は表示画面上の黒浮きを補正する技術に関する。
【背景技術】
【０００２】
表示装置には、表示画面上の特に暗部が本来出るべき輝度よりも明るく表示される現象が生じる場合がある。この現象は、黒浮きと呼ばれる。例えば、投射型の表示装置（フロントプロジェクターやリアプロジェクターなど）において、内部に使用するレンズやミラーなどにおける散乱や反射によって迷光が発生する場合がある。この迷光によって、本来は黒色で表示される箇所の輝度が上昇し、本来の黒色よりも明るい色として表示されることにより、黒浮きが生じる。この黒浮きを補正する方法として、特許文献１には、映像ソースの信号値に応じて、プロジェクタの光源量を調整するという技術が記載されている。具体的には、例えば暗部の多いシーンであれば、プロジェクタの光源量を落として、暗部の黒浮きを抑えることが記載されている。
【特許文献１】特開２００３−３３０１０３
【発明の開示】
【発明が解決しようとする課題】
【０００３】
しかしながら、上述した従来技術に記載された方法では、プロジェクタの光源量そのものを調整するので、暗部を暗くしようとすると、表示画面上の明るい明部も同時に暗くなってしまうというがある。
【０００４】
本発明は、上記課題に鑑みてなされたものであり、表示画面上の明部の輝度をなるべく保持しつつ、暗部の黒浮きを補正することを目的とする。
【課題を解決するための手段】
【０００５】
上記目的を達成するために、本発明の画像処理装置は、表示装置に画像信号を出力する画像処理装置であって、画像信号を入力する入力手段と、前記表示装置内で生じる拡散光量を示す光拡散情報を取得する取得手段と、前記入力された画像信号と前記取得した光拡散情報とに基づいて、前記表示装置の表示画面上に発生する黒浮きを補正するための黒浮き補正値を算出する算出手段と、前記算出された黒浮き補正値に基づいて前記入力された画像信号を補正する補正手段とを有することを特徴とする。
【発明の効果】
【０００６】
本発明によれば、表示画面上の明部の輝度をなるべく保持しつつ、暗部の黒浮きを補正することができる。
【発明を実施するための最良の形態】
【０００７】
以下、本発明に係わる画像処理装置、画像処理方法及びプログラムの一実施の形態について添付図面を参照して詳細に説明する。
【０００８】
（実施形態１）
図１は、本発明に係わる画像表示システムの機能的な構成の一例を示す図である。
【０００９】
画像表示システムは、画像処理装置１０と、表示装置２０とを具備して構成される。
【００１０】
表示装置２０は、プロジェクタ、液晶、プラズマ等の表示器であり、画像処理装置１０から出力される補正後の画像信号を入力してそれを表示する。画像処理装置１０は、入力される画像信号（以下、入力画像信号ともいう）を処理してそれを表示装置２０に出力する。ここで、画像処理装置１０は、その機能的な構成として、光拡散係数設定部１１と、光拡散係数記憶部１２と、黒浮き補正値算出部１３と、画像信号補正部１４とを具備して構成される。
【００１１】
光拡散係数設定部１１は、表示装置２０内で拡散する光の割合を表す光拡散係数ｋを設定する。ここで光拡散係数は、拡散する光量［拡散光量］を表す情報［光拡散情報］であり、具体的には、表示装置内部で発した光が表示画面に表示されるまでに、該光が周囲に拡散する光量の割合を示す。光拡散係数記憶部１２は、光拡散係数設定部１１により設定された光拡散係数ｋを記憶する。なお、光拡散係数記憶部１１は、画像処理装置１０外部の記憶装置により実現されても構わない。黒浮き補正値算出部１３は、入力画像信号の信号値と光拡散係数ｋに応じて黒浮き補正値を算出する。信号値補正部１４は、黒浮き補正値算出部１３により算出された黒浮き補正値になるように入力画像信号を補正する。なお、信号値補正部１４により補正された補正後の画像信号は、表示装置２０に向けて出力される。
【００１２】
以上が、画像表示システムの構成の一例についての説明である。なお、上記説明した、画像処理装置には、コンピュータが組み込まれている。コンピュータには、ＣＰＵ等の主制御手段、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等の記憶手段が具備される。また、コンピュータにはその他、キーボード、マウス、ディスプレイ又はタッチパネル等の入出力手段、ネットワークカード等の通信手段等も具備される。なお、これら各構成手段は、バス等により接続され、主制御手段が記憶手段に記憶されたプログラムを実行することで制御される。
【００１３】
次に、図２を用いて、図１に示す画像表示システムにおける動作の一例について説明する。なお、ここでは、画像処理装置１０により入力画像信号を補正し、それを表示装置２０に表示させる動作について説明する。
【００１４】
この処理が開始すると、画像処理装置１０は、まず、光拡散係数設定部１１において、表示装置２０内で拡散する光の割合を表す光拡散係数ｋを設定する（ステップＳ２１）。なお、光拡散係数ｋの設定方法についての詳細は後述する。
【００１５】
続いて、光拡散係数記憶部１２において、前記光拡散係数設定部１１で設定された光拡散係数ｋを記憶する（ステップＳ２２）。光拡散係数記憶部１２は、ＨＤＤ（Ｈａｒｄ  Ｄｉｓｋ  Ｄｒｉｖｅ）等が考えられる。
【００１６】
続いて、黒浮き補正値計算部１３において、入力画像信号の信号値と光拡散係数記憶部１２から取得した光拡散係数ｋに応じて、黒浮きを補正するための黒浮き補正値を算出する。（ステップＳ２３）。なお、黒浮き補正値の算出方法の詳細については、後述する。なお、黒浮き補正値算出部１３では、入力画像信号の信号値をもとに黒浮き補正をするかどうかの判断をし、黒浮き補正をしないと判断した場合には、黒浮き補正値を算出しないようにしても良い。つまり、例えば、黒浮きは暗部で目立つので、入力画像信号の信号値がある閾値ｐ以下の場合にのみ黒浮き補正値を算出し、閾値ｐより大きい場合は黒浮き補正値を算出しないようにする。
【００１７】
続いて信号値補正部１４において、黒浮き補正値算出部１３で算出された黒浮き補正値になるように、入力画像信号の信号値を補正する（ステップＳ２４）。なお、上述したように、黒浮き補正値算出部１３で、黒浮き補正をしないと判断をした場合には、入力画像信号の信号値を補正せずに、そのまま出力する。
【００１８】
次に、図１の光拡散係数設定部１１における光拡散係数ｋの設定方法（図２のステップ２１）について図３から図９を用いて詳細に説明する。
【００１９】
まず、図３は、光拡散係数ｋを設定するための動作を示すフローチャートである。
【００２０】
図３において、始めに、入力画像として全面均一（全画像信号の信号値が均一）の画像を表示装置の表示画面に表示して、表示された画像の輝度を測定する（ステップＳ３１）。測定の一例を以下に示す。入力画像として全面黒（全画像信号の信号値が例えば０）から全面白（全画像信号の信号値が例えば２５５）までの複数の画像を用意する。そして、それら複数の画像を順次表示させて、表示された画像の輝度値を順次測定する。このように測定した結果から得られる、入力画像の信号値と測定した輝度値との関係を図４に示す。なお、表示された画像の測定箇所は、図４に示すように、入力画像の中心とする。また、入力画像の信号値を０から２５５としたが、これは入力画像が８ビットの場合であり、信号値は０から２５５に限定されるものではない。
【００２１】
続いて、ステップ３１による測定結果を元に回帰分析等を行い、入力画像の信号値ｘと測定した輝度値Ｙの関係を解析する（ステップＳ３２）。ここで、
Ｙ＝ｆ（ｘ）                  （１）
という関数で定義する。この関数ｆ（ｘ）は、全面均一の入力画像を表示させた場合に測定される輝度値である。つまり、全面均一ではなく、複数の信号値を有する画像を表示させた場合に生じる光の拡散による影響を受けていないので、関数ｆ（ｘ）は黒浮きが無い場合の理想的な輝度値と見なすことが出来る。
【００２２】
ここで、光拡散係数ｋを用いて黒浮きが生じた場合の輝度値を数式化する方法について説明する。図５に示すような周辺部が白（明部）、中央部が黒（暗部）の入力画像を表示して、表示された画像の中央部の黒い箇所（暗部）を測定した場合を考える。黒浮きが生じていない場合の測定結果の例を図６に示す。図６において、上部には、図５の入力画像を表示したときの表示画像を示している。この表示画像において、暗部の面積をＳｂｋ、明部の面積Ｓｗとする。また、図６において、下部には、上部の表示画像に対応して、横軸を表示画像の位置、縦軸を測定した輝度値としたグラフを示している。黒浮きが無い場合の明部分及び暗部の輝度値は、入力画像の明部の信号値、暗部の信号値をそれぞれｗ、ｂｋとして式（１）より、ｆ（ｗ）、ｆ（ｂｋ）と表すことができる。
【００２３】
続いて、黒浮きが生じた場合の測定結果の例を図７に示す。図６と同様に、図７において、上部には、入力画像を表示したときの表示画像（黒浮きが生じた場合の表示画像）を示している。また、図７において、下部には、横軸を表示画像の位置、縦軸を測定した輝度値としたグラフを示している。黒浮きが生じた場合は、表示装置内の光の拡散によって明部の輝度が下がり、逆に暗部の輝度が上昇する。黒浮きが生じた場合のそれぞれの輝度をｆ´（ｗ）、ｆ´（ｂｋ）とする。暗部の黒浮き後の輝度値ｆ´（ｂｋ）に注目する。表示装置内の光の拡散係数をｋとし、ｋは信号値によらず一定で、光の拡散が画面全体に広がるとする。この場合、明部からの光の拡散による暗部の輝度変化は、
（明部から拡散する光量［拡散光量］による暗部の輝度変化）
＝（明部から拡散する光量［拡散光量］）／（画面面積）
＝ｋ×Ｓｗ×ｆ（ｗ）／（Ｓｗ＋Ｓｂｋ）        （２）
と表すことができる。ここで、Ｓｗ、Ｓｂｋは図５、６に示したよう明部、暗部の面積とする。
【００２４】
また暗部から拡散する光量［拡散光量］による暗部の輝度変化は、
（暗部から拡散する光量［拡散光量］による暗部の輝度変化）
＝（暗部から出て行く拡散光量）＋（暗部からの拡散光量）／（画面面積）
＝−ｋ×ｆ（ｂｋ）＋ｋ×Ｓｂｋ×ｆ（ｂｋ）／（Ｓｗ＋Ｓｂｋ）    （３）
と表す事ができる。
【００２５】
よって、暗部の輝度値ｆ´（ｂｋ）は、
ｆ´（ｂｋ）
＝（元のｂｋの輝度）＋（明部から拡散する光量［拡散光量］による暗部の輝度変化）＋（暗部から拡散する光量［拡散光量］による暗部の輝度変化）
＝ｆ（ｂｋ）＋ｋ×Ｓｗ×ｆ（ｗ）／（Ａ＋Ｂ）−ｋ×ｆ（ｂｋ）＋ｋ×Ｓｂｋ×ｆ（ｂｋ）／（Ａ＋Ｂ）
＝ｆ（ｂｋ）＋ｋ×（（Ｓｗ×ｆ（ｗ）＋Ｓｂｋ×ｆ（ｂｋ））／（Ｓｗ＋Ｓｂｋ）−ｆ（ｂｋ））    （４）
（４）式を一般的に書くと、対象となる入力画像の信号値をｊ、その他の信号値をｉとして、
【００２６】
【数１】
2010014740.tif 000003
【００２７】
と表すことができる。
（５）式に示すように、光拡散係数ｋが分かれば、黒浮きが生じた場合の輝度値ｆ´（ｘ）を予測することができる。
【００２８】
再び、図３に示すフローチャートに戻って光拡散係数ｋの設定方法について説明する。
【００２９】
次に、図８のように、画像の中央部の信号値は固定とし、周辺部の信号値を異ならせた複数の画像を用意する。そして、それら複数の画像を順次表示して、表示された複数の画像の中央部の輝度値を順次測定する（ステップＳ３３）。
【００３０】
次に、図９のように、測定輝度値を縦軸、横軸を（５）式の光拡散係数ｋの係数である（ΣＳｉ×ｆ（ｉ）／ΣＳｉ−ｆ（ｂｋ））の値でプロットをする。黒浮きが生じる場合は、周辺部の輝度値が上がるにつれて、中央部の信号値が同じであっても測定輝度値が上昇する。（５）式より、このグラフ上の傾きを求めることで、光拡散係数ｋの値を算出する（ステップＳ３４）。以上が測定による光拡散係数ｋの設定方法に関する説明である。
【００３１】
次に、黒浮き補正値算出部１３での黒浮き補正値の算出方法について説明する。（５）式より、暗部の黒浮きをｆ´（ｊ）から本来の輝度であるｆ（ｊ）に抑えるために、入力画像信号の信号値をｊ２に補正したとすると、
ｆ（ｊ）＝ｆ（ｊ２）＋ｋ×（ΣＳｉ×ｆ（ｉ）／ΣＳｉ−ｆ（ｊ２））である。
これをｆ（ｊ２）についてまとめると、
【００３２】
【数２】
2010014740.tif 000004
【００３３】
となる。（６）式の右辺をＭとした場合に、ｊ２＝ｆ−１（Ｍ）として、黒浮き補正値ｊ２を算出すればよい。
【００３４】
そして、信号値補正部１４では、黒浮き補正値算出部１３で算出された黒浮き補正値ｊ２になるように入力画像信号を補正する。
【００３５】
以上、本実施形態によれば、光拡散係数に基づいてどれくらい黒浮きが発生するかを予測して、入力画像信号の信号値に対して補正を行うので、画面上の明るい明部と暗部で異なる補正を行うことが可能となり、明部の輝度をなるべく保持しつつ、暗部で目立つ黒浮きを補正することができる。
【００３６】
（実施形態２）
実施形態２では、実施形態１と比較して、図１の光拡散係数設定部における光拡散係数の設定方法が異なる場合を説明する。
【００３７】
具体的には、図１の光拡散拡散設定部１１において、実施形態１で説明したように光拡散係数ｋを一定値にするのではなく、入力画像信号の信号値や表示画面上の位置を変数とした値として設定する。つまり、入力画像信号の信号値に応じて光拡散係数ｋを可変としたり、表示画面上の位置に応じて光拡散係数ｋを可変とする。設定方法は、例えば、入力画像信号の信号値毎に複数の光拡散係数ｋを設定したり、ｋを入力信号値の関数として設定したりするなど任意で構わない。
例として、光拡散係数ｋを入力画像信号の信号値の関数ｋ（ｉ）として設定した場合説明する。ここで、対象となる入力画像信号の信号値をｊ、その他の入力画像信号の信号値をｉとすると、黒浮きが生じた場合の輝度値ｆ´（ｊ）は、（５）式の関係式より、
【００３８】
【数３】
2010014740.tif 000005
【００３９】
となる。この関係式から実施形態１と同じ方法で黒浮き補正値を算出すればよい。
【００４０】
この他にも、例えば、光拡散係数ｋを表示画面上の位置座標の関数ｋ（ｘ，ｙ）として設定することで、表示画面上の場所毎に異なる黒浮き補正値を設定してもよい。
【００４１】
以上、本実施形態によれば、光拡散係数ｋを入力信号値や画面上の場所などの関数として持っておくことで、入力画像信号の信号値や表示画面上の場所によって光拡散係数ｋを異ならせて黒浮きを補正することができる。
【００４２】
（その他の実施形態）
実施形態１や実施形態２に記載された方法で設定された光拡散係数をマニュアルで調整できるようにしてもよい。例えば、図１の画像処理装置１０に接続される不図示のキーボード、マウス、ディスプレイ又はタッチパネル等の入出力手段により、光拡散係数ｋを調整する。
【００４３】
また、図１の光拡散係数設定部１１で設定された光拡散係数ｋを光拡散係数記憶部に記憶する際に表示装置の種類（名前）と対応づけてしておいてもよい。このように、光拡散係数ｋと表示装置の種類と対応付けて記憶しておくことにより、入力画像信号を表示させるたびに光拡散係数ｋを設定する必要はなくなる。さらには、入力画像信号を表示させる表示装置の種類を指定するだけで、その表示装置に対応する光拡散係数ｋを光拡散係記憶部１２から読み出して、黒浮き補正値を算出し、入力画像信号に対して補正を行うことが可能となる。
【００４４】
また、図１の信号値補正部による補正をＬＵＴ（ルックアップテーブル）の構成としてもよい。つまり、入力画像信号の信号値と信号補正部１３により補正された補正後の画像信号との対応関係を予め求めておき、その対応関係をＬＵＴとして構成する。このように、構成することにより、実施形態１、実施形態２で説明したように、図１の黒浮き補正値算出部１３による黒浮き補正値の算出および信号補正部による補正を入力画像信号毎に行う必要はなくなり、補正の処理速度を高速にすることができる。
【００４５】
また、図１の光拡散係数設定部１１で設定される光拡散係数ｋは、表示装置内部で発した光が表示画面に表示されるまでに、該光が周囲に拡散する光量の割合を示すものとして説明した。しかし、光拡散係数ｋは、前記光量の割合を示すものに限られるものではない。例えば、光拡散係数ｋを、前記光量の割合ではなく、拡散する光量そのものを用いても良い。
【００４６】
また、前述した実施形態の機能を実現するソフトウエアのプログラム（情報処理プログラム）コードを記録した記録媒体をシステム又は装置に供給するように構成されても良い。また、そのような構成において、そのシステム又は装置のコンピュータ（ＣＰＵ又はＭＰＵ）が記録媒体に格納されたプログラムコードを読み出して実行するようにしても良い。本発明の目的は、そのような構成によっても達成される。その場合、記憶媒体から読み出されたプログラムコード自体が前述した実施形態の機能を実現することとなり、そのプログラムコードを記憶した記憶媒体は本発明を構成することになる。
【００４７】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ、ＤＶＤなどを用いることができる。
【００４８】
また、コンピュータが読み出したプログラムコードを実行することにより、前述した実施形態の機能が実現されるだけではない。プログラムコードの指示に基づき、コンピュータ上で稼動しているオペレーティングシステム（ＯＳ）などが実際の処理の一部又は全部を行い、その処理によって前述した実施形態の機能が実現されるようにしても良い。
【００４９】
更に、記憶媒体から読み出されたプログラムコードが、コンピュータに挿入された機能拡張ボードやコンピュータに接続された機能拡張ユニットに備わるメモリに書き込まれるようにしても良い。その場合、書きこまれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれる。
【図面の簡単な説明】
【００５０】
【図１】本実施形態における画像表示システムの機能的な構成を示す図である。
【図２】図１に示す画像表示システムにおける動作の一例について説明する図である。
【図３】光拡散係数ｋを設定するための動作を示すフローチャートである。
【図４】入力画像の信号値と測定した輝度値との関係を示す図である。
【図５】光拡散係数を設定する際に用いる測定画像の一例を示す図である。
【図６】黒浮きが生じていない場合の表示画像と、表示画像位置と測定した輝度値との関係を示すグラフとを示す図である。
【図７】黒浮きが生じた場合の表示画像と、表示画像位置と測定した輝度値の関係を示すグラフとを示す図である。
【図８】光拡散係数を設定する際に用いる測定画像の一例を示す図である。
【図９】光拡散係数を求める一例を示すグラフを示す図である。
【図１】
2010014740.tif 000006
【図２】
2010014740.tif 000007
【図３】
2010014740.tif 000008
【図４】
2010014740.tif 000009
【図５】
2010014740.tif 000010
【図６】
2010014740.tif 000011
【図７】
2010014740.tif 000012
【図８】
2010014740.tif 000013
【図９】
2010014740.tif 000014